(57)【特許請求の範囲】
【請求項１】
矩形状をなすプレキャストコンクリート版の一端側に上方向の縦溝を設けると共に、他端側に下方向の縦溝を設けて成り、前記上下方向の各縦溝は隣位のプレキャストコンクリート版に設けられた上下方向の各縦溝と嵌合し得るものであることを特徴とするＰＣ版型枠材。
【請求項２】
縦溝から端部までの間の領域において、溝底からの立ち上がり高さ寸法が縦溝全体の寸法よりも短くなる部分を設けた前記請求項１に記載のＰＣ版型枠材。
【請求項３】
プレキャストコンクリート版の上端面の中央部に、下端側の途中へ向けて地中梁用型枠との連結用凹部が形成されている前記請求項１又は２に記載のＰＣ版型枠材。
【請求項４】
建物の基礎を構築する位置の地盤を掘り起こしてその底面に捨コン等でベース面を設置し、最初に両端側に同一方向の上向きの縦溝が形成されている矩形状のプレキャストコンクリート版を前記ベース面上に設置し、二番目に上向きの縦溝と下向きの縦溝とが形成された矩形状のプレキャストコンクリート版を準備して最初のプレキャストコンクリート版の上向きの縦溝に、当該二番目のプレキャストコンクリート版の下向きの縦溝を嵌合させ、三番目に上向きの縦溝と下向きの縦溝とが形成された矩形状のプレキャストコンクリート版を準備して二番目のプレキャストコンクリート版の上向きの縦溝に、三番目のプレキャストコンクリート版の下向きの縦溝を嵌合させ、四番目に同一方向の下向きの縦溝が形成された矩形状のプレキャストコンクリート版を準備して三番目と最初のプレキャストコンクリート版のそれぞれの上向きの縦溝に四番目のプレキャストコンクリート版の下向きの縦溝を嵌合させて型枠を形成し、該型枠の周囲を掘り起こした土砂で埋戻し、前記型枠内にコンクリートを打設して建物の基礎を構築するようにしたことを特徴とするＰＣ版型枠材を用いた基礎の構築施工方法。
【請求項５】
建物の基礎を構築する位置の地盤を掘り起こしてその底面に捨コン等でベース面を設置し、該ベース面上に、五角柱体や六角柱体、その他の多角柱体のコンクリート基礎を構築する場合において、両端側に同一方向の上向きの縦溝が形成されている矩形状のプレキャストコンクリート版と、両端側に上向きの縦溝と下向きの縦溝とが形成された矩形状のプレキャストコンクリート版と、両端側に同一方向の下向きの縦溝が形成されている矩形状のプレキャストコンクリート版とを準備し、これらのプレキャストコンクリート版の各縦溝を多角形の各辺どうしが成す角度と同じ角度の斜めに形成し、建込の最初は両端側に同一方向の上向きの縦溝を有するプレキャストコンクリート版を前記ベース面上へ立設し、二番目から最後の手前までは上向きと下向きの縦溝が形成されたプレキャストコンクリート版の下向きの縦溝をその前に建て込んだプレキャストコンクリート版の上向きの縦溝に嵌合させ、最後は同一方向の下向きの縦溝を有するプレキャストコンクリート版を最初と最後から手前のプレキャストコンクリート版の上向きの縦溝に嵌合させて型枠を形成し、該型枠の周囲を掘り起こした土砂で埋戻し、前記型枠内にコンクリートを打設して建物の基礎を構築するようにしたことを特徴とするＰＣ版型枠材を用いた基礎の構築施工方法。
【発明の詳細な説明】
【技術分野】
【０００１】
本発明は、建物の独立基礎部分等を構築するに際し、プレキャストコンクリート版（ＰＣ版）の捨て型枠材を新たに開発し、このＰＣ版捨て型枠材を用いて短期間で且つ他業者との連携をすることなく、ＰＣ版建込業者のみで建物基礎の構築を行うことのできる施工方法に関するものである。
【背景技術】
【０００２】
建物の柱の基礎を構築する場合において、従来から一般に行われている施工方法は、先ず、基礎部分に位置する地盤を掘り起し、建物の大きさや地盤の土質等に応じて必要であれば杭を打ち込んでいる。そして、掘り起こした溝の底面地盤に割栗石又は砕石を敷き並べ、ランナー等の打撃器で締固めてその上からコンクリートを１０ｃｍ程度の厚みになるように打設してベース面を形成している。
その後、このベース面の上にベニヤ合板及び桟木で形成した木製型枠材又は鋼鉄製の型枠材を用いて枠組み形成し、内部に鉄筋を組み込み、型枠内にコンクリートを打設して基礎を構築している。コンクリート打設後は、前記型枠を脱型し、その後コンクリート基礎の周囲を掘り起こした土砂で埋戻しを行っていた。
なお、柱の基礎部分どうしの間は、地中梁で連結されている。
【０００３】
ところが、このような従来一般に行われている施工方法では、型枠を組立ててコンクリートを打設した後に、型枠を脱型して取り除くことが必要であり、型枠の組立作業及び脱型作業のためのスペースが必要となり、掘削する領域が大きくなって掘り起こした土砂の排出量が多くなるという欠点があった。また掘り起こした土砂は、一旦別の場所に仮置きしておく必要があり、そのスペースが必要であった。更に、型枠設置後にコンクリートを打設し、脱型後に埋め戻すという施工は工程数が多くなり、工期が長引くという欠点があった。
【０００４】
そのため、近年は、特許文献１又は２に記載されているように、型枠を設置した後にその周囲を埋め戻し、コンクリートを打設して型枠はそのまま土中に埋めたままにするという捨て型枠工法が開発されている。
【０００５】
特許文献１の技術は、基礎面よりＴ字状に立設する布基礎をプレキャストコンクリート版（ＰＣ版）で構築する捨て型枠工法を示すものである。ＰＣ版の両端側に切欠きを設けてこの切欠き端面に、埋込みナットを植設し、別途製作した専用のＬ型金具と連結用のボルトを用いて隣位のＰＣ版どうしを連結固定するようにしている。連結後は、ＰＣ版の両側面側の溝を掘り起こした土砂で埋戻し、布基礎の上端面に木造の建物を構築するようにしている。
なお、このＰＣ版による布基礎は、ＰＣ版自体が布基礎を構成するのでこれを型枠材として用い、コンクリートを打設するというようなことは行っていなかった。
【０００６】
特許文献２の技術は、キーストンプレート（溶融亜鉛メッキ銅板の鋼製型枠）を用いて地中梁を構築する場合の技術である。先ず、地中梁の幅と同程度の幅の掘削溝を掘り起こしている。そして、この掘削溝の底面側に割栗石又は砕石を敷き並べて突き固め、厚みが５〜１０ｃｍ程度の捨コンを打設している。次に、掘削溝内にその両側面それぞれに沿って互いに間隔を隔ててほぼ垂直に支持用鉄筋棒を立設し、これらの支持用鉄筋棒に型枠材としてのキーストンプレート等の鋼板を支持させて一対の対向する金属製型枠を設けている。然る後に、地中梁どうしで囲まれた領域の上面側にスラブ鉄筋を配筋し、また地中梁内には地中梁鉄筋を配筋してこれらのスラブ鉄筋と地中梁鉄筋とを一体的に組み上げ、スラブから前記鋼板型枠間に亘ってコンクリートを一連に打設している。
【０００７】
また従来においては、キーストンプレートを用いて柱部基礎を構築する方法として、図９に示す技術が公知である。この従来技術は、掘削した溝底面の捨コン上面１の所定位置にＬ型アングル材２又はランナー部材を固定し、その外周面側に連続した断面矩形状波型のキーストンプレート３を立設し、上端面側にＬ型アングル材４を溶接固定している。そして、隣位のキーストンプレート３どうしが当接するコーナー部にはＬ型ジョイント５を縦方向に溶接している。更に、全体の剛性をアップさせるために、コーナー部の上端面に補強用の連結材（斜交い）６を溶接している。剛性をアップさせないと、埋戻しの際の周囲の土圧に耐えられないからである。
尚、一組の対向するキーストンプレート３，３の上部中央部に設けられた開口７は、地中梁と連結するためのものである。
【先行技術文献】
【特許文献】
【０００８】
【特許文献１】特開平８−２９６２３９号公報
【特許文献２】特許第２６２９４８２号公報
【発明の概要】
【発明が解決しようとする課題】
【０００９】
前記特許文献１に示す技術では、ＰＣ版捨て型枠を土中に埋められたまま放置するので、脱型作業が不要となり、工期の短縮は可能であるが、これを建物柱部の基礎部分を構築するものとしてそのままでは利用できないという問題があった。
建物柱部の基礎は、建物の大きさ等によるが、通常は矩形体の一辺の長さが２ｍ〜３ｍで、高さが１．２ｍ〜１．５ｍであり、ＰＣ版型枠材で枠組み形成した後に、その周囲の掘削溝を掘り起こした土砂で埋め戻した場合に、ＰＣ版型枠材にかなりの大きな土圧が作用することになる。そのため、ＰＣ版型枠材どうしを専用のＬ型金具及びボルトを用いて連結すると、その連結部にＰＣ版型枠材の全体に作用する土圧の応力が集中し、Ｌ型金具及びボルト部分のＰＣ版型枠材が破損してＰＣ版型枠材がコンクリートを打設しなければならない基礎部分の空間領域である内側へ倒れ込み、型枠を組み上げることができなかった。
【００１０】
またこの特許文献１の施工方法では、専用のＬ型金具を製造し、準備しなければならないこと、ＰＣ版型枠材に特定形状の切欠きを形成し、この切欠き部分にボルト締結用の埋込ナットを植設しなければならないこと、ＰＣ版型枠材どうしの組付け時に金具取付及びボルト締結等の余分の工程が必要で有り、全体として加工及び組付け工数が増加し、コストアップの原因にもなっていた。
【００１１】
また特許文献２等に示す技術では、掘削溝の両側面に沿った部分に、所定間隔ごとに鉄筋棒を土中へ差し込み、この鉄筋棒に凭れ掛けさせてキーストンプレートを配置し、地中梁コンクリートを流し込むための捨て型枠としている。
ところが、このような技術を、通常であっても矩形体の一辺の長さが２ｍ〜３ｍで、高さが１．２ｍ〜１．５ｍもある大容積の柱部基礎の型枠材として使用することは、大きな土圧が作用するので採用することができなかった。
【００１２】
そのため、キーストンプレートを用いる場合は、図９の従来技術に示すように、キーストンプレート３の上下端面をＬ型アングル材又は断面コ字状のランナー部材２，４で溶接することが必要である。またキーストンプレート３どうしが突合せで当接するコーナー部は、Ｌ型ジョイント５を溶接し、更に上端面側のコーナー部には連結材（斜交い）６を溶接して、全体の剛性をアップしなければならなかった。
従って、この図９に示す従来技術では、建設作業員の他に溶接作業員が必要で、両者の連携作業が必須であり、建設作業員が単独で型枠の組付けを行うことができないという問題と、連携の不備に基づく事故が発生するという問題があった。それに加えて、キーストンプレート３の型枠材の他に、Ｌ型アングル又はランナー部材２，４やＬ型ジョイント５、連結材（斜交い）６等の付属部品が必要であり、その製作・管理に手間とコストを要し、作業が煩雑になるという問題もあった。更に、金属製の型枠材であり、経年変化で腐食するという問題もあった。
【００１３】
そこで、本発明は、従来の前記問題点に鑑みてこれを改良除去したものであって、プレキャストコンクリート版（ＰＣ版）に縦溝を設けて隣位のプレキャストコンクリート版の縦溝どうしを嵌合させることで、土圧にも十分に耐え得る柱部基礎構築用のＰＣ版型枠材と、これを用いた施工方法を提供せんとするものである。
【課題を解決するための手段】
【００１４】
前記課題を解決するために本発明が採用した請求項１の手段は、矩形状をなすプレキャストコンクリート版の一端側に上方向の縦溝を設けると共に、他端側に下方向の縦溝を設けて成り、前記上下方向の各縦溝は隣位のプレキャストコンクリート版に設けられた上下方向の各縦溝と嵌合し得るものであることを特徴とするＰＣ版型枠材である。
【００１５】
前記課題を解決するために本発明が採用した請求項２の手段は、縦溝から端部までの間の領域において、溝底からの立ち上がり高さ寸法が縦溝全体の寸法よりも短くなる部分を設けた前記請求項１に記載のＰＣ版型枠材である。
【００１６】
前記課題を解決するために本発明が採用した請求項３の手段は、プレキャストコンクリート版の上端面の中央部に、下端側の途中へ向けて地中梁用型枠との連結用凹部が形成されている前記請求項１又は２に記載のＰＣ版型枠材である。
【００１７】
前記課題を解決するために本発明が採用した請求項４の手段は、建物の基礎を構築する位置の地盤を掘り起こしてその底面に捨コン等でベース面を設置し、最初に両端側に同一方向の上向きの縦溝が形成されているプレキャストコンクリート版を前記ベース面上に設置し、二番目に上向きの縦溝と下向きの縦溝とが形成されたプレキャストコンクリート版を準備して最初のプレキャストコンクリート版の上向きの縦溝に、当該二番目のプレキャストコンクリート版の下向きの縦溝を嵌合させ、三番目に上向きの縦溝と下向きの縦溝とが形成されたプレキャストコンクリート版を準備して二番目のプレキャストコンクリート版の上向きの縦溝に、三番目のプレキャストコンクリート版の下向きの縦溝を嵌合させ、四番目に同一方向の下向きの縦溝が形成されたプレキャストコンクリート版を準備して三番目と最初のプレキャストコンクリート版のそれぞれの上向きの縦溝に四番目のプレキャストコンクリート版の下向きの縦溝を嵌合させて型枠を形成し、該型枠の周囲を掘り起こした土砂で埋戻し、前記型枠内にコンクリートを打設して建物の基礎を構築するようにしたことを特徴とするＰＣ版型枠材を用いた基礎の構築施工方法である。
【００１８】
前記課題を解決するために本発明が採用した請求項５の手段は、建物の基礎を構築する位置の地盤を掘り起こしてその底面に捨コン等でベース面を設置し、該ベース面上に、五角柱体や六角柱体、その他の多角柱体のコンクリート基礎を構築する場合において、両端側に同一方向の上向きの縦溝が形成されている矩形状のプレキャストコンクリート版と、両端側に上向きの縦溝と下向きの縦溝とが形成された矩形状のプレキャストコンクリート版と、両端側に同一方向の下向きの縦溝が形成されている矩形状のプレキャストコンクリート版とを準備し、これらのプレキャストコンクリート版の各縦溝を多角形の各辺どうしが成す角度と同じ角度の斜めに形成し、建込の最初は両端側に同一方向の上向きの縦溝を有するプレキャストコンクリート版を前記ベース面上へ立設し、二番目から最後の手前までは上向きと下向きの縦溝が形成されたプレキャストコンクリート版の下向きの縦溝をその前に建て込んだプレキャストコンクリート版の上向きの縦溝に嵌合させ、最後は同一方向の下向きの縦溝を有するプレキャストコンクリート版を最初と最後から手前のプレキャストコンクリート版の上向きの縦溝に嵌合させて型枠を形成し、該型枠の周囲を掘り起こした土砂で埋戻し、前記型枠内にコンクリートを打設して建物の基礎を構築するようにしたことを特徴とするＰＣ版型枠材を用いた基礎の構築施工方法である。
【発明の効果】
【００１９】
請求項１の発明にあっては、矩形状をなすプレキャストコンクリート版の一端側に上方向の縦溝を設けると共に、他端側に下方向の縦溝を設けている。建物の基礎を構築するに際しては、隣位のプレキャストコンクリート版に設けられた上向きの縦溝と下向きの縦溝どうしを嵌合させるだけでよい。
【００２０】
この請求項１のＰＣ版型枠材であれば、溶接作業が不要であるため、ＰＣ版建込業者のみでの型枠の建込みが可能であり、異なる業者間での連携不良に起因する事故の発生を防止することが可能である。また組付け作業自体の簡略化による建設作業員の負担軽減を図ることも可能である。
【００２１】
請求項２の発明にあっては、縦溝から端部までの間の領域において、溝底からの立ち上がり高さ寸法が縦溝全体の寸法よりも短くなる部分を設けている。この寸法が短くなった部分は、土圧等の対向手段として機能するものではなく、本来的に不要な部分である。短くすることで、材料費の削減を図ることが可能である。
【００２２】
請求項３の発明にあっては、建物の基礎部分に地中梁が設けられる場合のものであり、基礎部分の鉄筋と地中梁の鉄筋とを一体的に組み上げ、またコンクリートの打設も基礎部分と地中梁とを同時に行うことが可能である。
【００２３】
請求項４の発明は、前記請求項１乃至３に記載のＰＣ版型枠材を用いて実際に基礎部分の型枠を建込み、コンクリートを打設するまでの施工方法である。建物の基礎のベース面上に、両端側に同一方向の上向きの縦溝が形成されているプレキャストコンクリート版を設置し、次に上向きの縦溝と下向きの縦溝とが形成された別のプレキャストコンクリート版を準備し、これの下向きの縦溝を最初のプレキャストコンクリート版の上向き縦溝に嵌合させて隣位のプレキャストコンクリート版どうしを組合せて結合する。三番目に上向きの縦溝と下向きの縦溝とが形成されたプレキャストコンクリート版を準備し、その下向きの縦溝を二番目のプレキャストコンクリート版の上向きの縦溝に嵌合させる。最後に、両端側に同一方向の下向きの縦溝が形成されたプレキャストコンクリート版を準備し、その両端側の下向きの縦溝を、最初と三番目のプレキャストコンクリート版のそれぞれの上向きの縦溝に嵌合させて型枠を建て込んでいる。
【００２４】
そして、型枠の周囲を掘り起こした土砂で埋戻す。このときの土圧は、隣位のプレキャストコンクリート版へ伝達されて分散されると共に、対向するプレキャストコンクリート版から反対方向の土圧が作用し、相互に打ち消し合うので、プレキャストコンクリート版が土圧で倒壊したり、欠損するというようなことはない。
またプレキャストコンクリート版で建て込まれた基礎型枠内へ流し込まれるコンクリートの圧力は、各プレキャストコンクリート版に作用するが、各プレキャストコンクリート版の外周囲が埋め戻した土砂により充満されているので十分にバックアップされており、何ら問題はない。
【００２５】
しかも、プレキャストコンクリート版の建て込みと、掘り起こした土砂の埋戻しをほぼ同時に行うことができるので、掘り起こした土砂の仮置き時間を短縮することができる。またプレキャストコンクリート版の型枠材は、そのまま土中に埋め込まれるので、建込作業や脱型作業のための大きなスペースは不要であり、基礎部分の構築のための掘り起こす土砂の量を少なくすることができる。工期の短縮、作業負担の軽減を図ることが可能である。
更に、金属材料を用いてないので腐食の問題が起こることもない。  更にまた、コンクリート基礎部分の周囲にプレキャストコンクリート版が介在することになり、基礎部分のコンクリートの中性化や基礎鉄筋の腐食を防止する保護層としても機能し得るものである。
【００２６】
請求項５の発明にあっては、コンクリート基礎を五角柱体や六角柱体、その他の多角形柱体等に構築するようにしている。その場合に、縦溝は多角形の各辺どうしが成す角度と同じ角度の斜めに形成することが必要である。また最初は、同一方向の上向きの縦溝を有するプレキャストコンクリート版を使用し、最後は同一方向の下向きの縦溝を有するプレキャストコンクリート版を使用することが必要であり、途中の段階では上向きと下向きの縦溝が形成されたプレキャストコンクリート版を使用すればよい。その他の作用効果は、前記請求項４の場合と同じである。
【図面の簡単な説明】
【００２７】
【図１】本発明の一実施の形態に係るＰＣ版型枠材を示すものであり、図（Ａ）は同一方向に縦溝を設けた場合の斜視図、図（Ｂ）は上下方向の縦溝を設けた場合の斜視図である。
【図２】本発明の一実施の形態に係る一部切除タイプのＰＣ版型枠材を示すものであり、図（Ａ）は同一方向に縦溝を設けた場合の斜視図、図（Ｂ）は上下方向の縦溝を設けた場合の斜視図である。
【図３】本発明の一実施の形態に係るものであり、第一の建込工程を示す斜視図である。
【図４】本発明の一実施の形態に係るものであり、第二の建込工程を示す斜視図である。
【図５】本発明の一実施の形態に係るものであり、第三の建込工程を示す斜視図である。
【図６】本発明の一実施の形態に係るものであり、ＰＣ版型枠の建込が完了した状態の全体を示す斜視図である。
【図７】本発明の一実施の形態に係るものであり、ＰＣ版型枠の建込が完了した状態の基礎部分の縦断面である。
【図８】本発明の一実施の形態に係るものであり、ＰＣ版型枠の建込完了後に、コンクリートを打設し、柱型を形成し、鉄骨を建て込んだ状態を示す基礎部分の全体を示す縦断面図である。
【図９】従来のキーストンプレートを用いた基礎部分の施工方法を説明するための鋼製型枠の全体を示す斜視図である。
【発明を実施するための形態】
【００２８】
以下に、本発明の構成を図面に示す一実施の形態に基づいて説明すると次の通りである。図１の図（Ａ）及び図（Ｂ）、図２の図（Ａ）及び図（Ｂ）はプレキャストコンクリート版（ＰＣ版）で型枠材１０，１１，１２，１３を構成した場合のそれぞれ一例を示す斜視図である。これらのＰＣ版型枠材１０〜１３は、建設する建物の大きさ等によって設計されるコンクリート基礎部分の大きさにもよるが、一般的には横幅が２．６ｍ〜４ｍ、高さが１．２ｍ〜１．５ｍ程度である。これは、コンクリート基礎の一辺の長さが２ｍ〜３ｍ、高さが１．２ｍ〜１．５ｍ程度に対応する場合のものである。前記ＰＣ型枠材１０〜１３は、内部に鉄筋が配筋されており、厚みは５０ｍｍ〜１５０ｍｍ程度である。実験では、一辺の長さ２ｍで高さが１．２ｍの四角柱体の基礎を構築する場合、６０ｍｍでも十分であった。
【００２９】
図１の図（Ａ）に示すＰＣ版型枠材１０は、矩形状のプレキャストコンクリート版１４の両端側に同一方向（図面では上方向）の縦溝１５，１６を設けている。縦溝１５，１６の深さは、高さ寸法の１／２よりも若干大きめであればよい。また縦溝１５，１６の位置は、縦溝１５，１６どうしの間の寸法が、構築するコンクリート基礎の一辺の長さに相当する位置であればよく、左右の側端面から２００ｍｍ〜３００ｍｍ程度、内側へ入ったところが適当である。縦溝１５，１６の幅は、プレキャストコンクリート版の厚みよりも若干大きめのものであればよい。
【００３０】
図１の図（Ｂ）に示すＰＣ版型枠材１１は、左側端面寄りに上向きの縦溝１５ａを形成し、右側端面寄りに下向きの縦溝１７を形成した場合のものである。その他の構成は、前記図（Ａ）に示すＰＣ版型枠材１０と同じである。
【００３１】
図２の図（Ａ）に示すＰＣ版型枠材１２は、図１の図（Ａ）に示すＰＣ版型枠材１０の縦溝１５，１６からそれぞれ外側の範囲で且つプレキャストコンクリート版１４の上端面から縦溝１５，１６の溝底へ向かうまでの途中の領域の一部を切除したものである。この切除した部分は、型枠材として特別な機能を持つ部分ではないので、当初から製作しないことで材料費削減に寄与させることとした。また切除することで、後述するＰＣ版型枠材の組付け時に縦溝どうしの嵌合が却ってし易くなるという利点もある。
【００３２】
図２の図（Ｂ）に示すＰＣ版型枠材１３は、図１の図（Ｂ）に示すＰＣ版型枠材１１の縦溝１５ａからそれぞれ外側の範囲で且つプレキャストコンクリート版１４の上端面から縦溝１５ａの溝底へ向かうまでの途中の領域の一部を切除すると共に、縦溝１７からそれぞれ外側の範囲で且つプレキャストコンクリート版１４の下端面から縦溝１７の溝底へ向かうまでの途中の領域の一部を切除したものである。切除部の作用効果については、前記図２の図（Ａ）に示すＰＣ版型枠材１２の場合と同じである。
【００３３】
次に、図３乃至図７を参照して、図２の図（Ａ）及び図（Ｂ）に示すＰＣ版型枠材１２，１３を用いて建物のコンクリート基礎を構築する場合の型枠の建込要領について説明する。先ず、図７に示すように、建物のコンクリート基礎を構築する領域の地盤１８を掘削し、必要であれば杭１９，１９を打ち込む。そして、掘削した領域の底面に割栗石又は砕石２０を敷き並べてランナー等の打撃器で締固め、その上に厚み５０ｍｍ程度の捨コン２１を流し込んでベース面２２を形成する。
【００３４】
然る後に、図３に示すように、同一方向の縦溝１５，１６が形成された図２の図（Ａ）で示すＰＣ版型枠材１０をベース面２２の墨出しを行った所定位置に配置して準備し、その縦溝１５，１６が上を向くように立設する。この場合、作業員が手で把持してその姿勢を維持していてもよい。この状態からクレーン等で吊り上げた図２の図（Ｂ）で示すＰＣ版型枠材１３を準備し、その下向きの縦溝１７を前記仮置きの状態で立設しているＰＣ版型枠材１０の縦溝１６に嵌合させる。この状態では、二つのＰＣ版型枠材１０及び１３は、平面視した場合にＬ字状を成し、自立することが可能となる。
【００３５】
次に、図４に示すように、別のＰＣ版型枠材１３をクレーンで吊り上げて準備し、その下向きの縦溝１７を先に組み付けたＰＣ版型枠材１３の上向きの縦溝１５ａへ嵌合させる。これにより、三辺の組付けが完了する。
【００３６】
最後に、図５に示すように、同一方向に縦溝１５，１６が形成されたＰＣ版型枠材１２を、前記縦溝１５，１６が下を向くように吊り上げて準備し、その縦溝１５を一番最初に立設したＰＣ版型枠材１２の縦溝１５へ嵌合させると共に、他方の縦溝１６を三番目に組み付けたＰＣ版型枠材１３の上向きの縦溝１５ａに嵌合させる。
以上により、図６及び図７に示すように、建物の柱部のコンクリート基礎部分の型枠の建込が完了する。
【００３７】
然る後は、図７で示す、各ＰＣ型枠材１２，１２，１３，１３の外周囲の空間Ａへ掘り起こした土砂で埋戻しを行う。この時、埋め戻した土砂の土圧が各ＰＣ版型枠材に作用するが、土圧は、隣位のＰＣ版型枠材へ伝達されて分散されると共に、対向するＰＣ版型枠材から反対方向の土圧が作用し、相互に打ち消し合うので、これらのＰＣ版型枠材が土圧で倒壊したり、位置ズレを起こすということはなく、また欠損するというようなこともない。
【００３８】
次に、図８に示すように、型枠内の空間Ｂへ予め組み込んでおいた鉄筋２３をクレーン等で吊り上げて配置し、続いて位置決めプレート２４等を介して鉄骨組み立て用のアンカーボルト２５，２５を配置する。
最後に、型枠内の空間Ｂへコンクリート２６を打設すれば、コンクリート基礎の構築作業は完了する。なお、ＰＣ版型枠材１２，１２，１３，１３は土中に埋め込まれたままであり、脱型作業は不要である。またこれらのＰＣ版型枠材は、コンクリート２６及び鉄筋２３等の保護層としても機能する。
【００３９】
コンクリート基礎の構築後は、柱型２７のコンクリート土台を設け、この柱型２７上にＨ型鋼等の鉄骨柱２８のベースプレート２９へアンカーボルト２５，２５を挿通させてナット３０で締結し、鉄骨柱２８を立設する。最後にコンクリート基礎２６の上面側の空間Ｃを掘り起こした土砂で埋戻して地表面と同一高さになるようにすればよい。
【００４０】
ところで、以上の説明は、同一方向の縦溝を有するＰＣ版型枠材１２と、異なる方向の縦溝を有するＰＣ版型枠材１３をそれぞれ二個ずつ用いて建物の柱部のコンクリート基礎を構築する場合を説明したが、同一方向の縦溝を有するＰＣ版型枠材１２を四個用いて構築することも可能である。この場合は、上向きにした縦溝のＰＣ版型枠材１２を二個一対で対向配置し、これに下向きにした縦溝のＰＣ版型枠材１２を一つずつ組み付けていけばよい。
【００４１】
また前記説明は、コンクリート基礎２６が矩形体をなす場合を説明したが五角柱体や六角柱体、その他の多角形柱体等へも適用することが可能である。その場合に、縦溝は多角形の各辺どうしが成す角度と同じ角度の斜めに形成することが必要である。また最初は、同一方向の上向きの縦溝を有するＰＣ版型枠材を使用し、最後は同一方向の下向きの縦溝を有するＰＣ版型枠材を使用することが必要であり、途中の段階では上向きと下向きの縦溝が形成されたＰＣ版型枠材を使用すればよい。
【００４２】
また以上の説明は、コンクリート基礎２６を構築する場合のみを説明したが、コンクリート基礎２６とコンクリート基礎２６との間を地中梁で連結する場合は、図１の図（Ａ），図（Ｂ）及び図２の図（Ａ），図（Ｂ）において鎖線で示す位置に、地中梁の型枠と連結するための凹部３１を設ければよい。この場合、地中梁の型枠を建て込んだ後に、ＰＣ版型枠材で建て込んだ柱部構築用の基礎部分と、地中梁部分とを同時にコンクリートで打設するようにすればよい。
【産業上の利用可能性】
【００４３】
ところで、本発明は上述した実施の形態に限定されるものではなく、適宜の変更が可能である。例えば、地上で多角形状の柱体を構築する場合も、このＰＣ版型枠材を使用して構築することが可能である。
【符号の説明】
【００４４】
１０，１１，１２，１３…ＰＣ版型枠材
１４…プレキャストコンクリート版
１５，１５ａ，１６，１７…縦溝
１８…地盤
２２…基礎のベース面
３１…地中梁連結用の凹部
Ａ…ＰＣ版型枠材の外周側の空間
Ｂ…ＰＣ版型枠材の内部空間
【要約】
【課題】プレキャストコンクリート版（ＰＣ版）に縦溝を設けて隣位のＰＣ版の縦溝どうしを嵌合させることで、土圧にも十分に耐え得る建物の柱部基礎構築用のＰＣ版型枠材と、これを用いた施工方法を提供する。
【解決手段】ＰＣ版の両端側に同一方向又は上下異なる方向の縦溝を設け、隣位のＰＣ版に設けられた縦溝どうしを嵌合させて型枠を組み付けていく。ＰＣ版であり、溶接作業が不要であるため、ＰＣ版建込業者のみでの型枠の建込みが可能であり、異なる業者間での連携不良に起因する事故の発生防止が可能である。また工数減により建設作業員の負担軽減を図ることも可能である。更に、周囲の埋め戻した土圧に対しても、ＰＣ版全体に分散させることができ、しかも反対方向からの土圧で相互に打ち消去させることができ、強度的にも問題ない。
【選択図】  図１【図１】
0005828986.tif 000002
【図２】
0005828986.tif 000003
【図３】
0005828986.tif 000004
【図４】
0005828986.tif 000005
【図５】
0005828986.tif 000006
【図６】
0005828986.tif 000007
【図７】
0005828986.tif 000008
【図８】
0005828986.tif 000009
【図９】
0005828986.tif 000010